(57)【特許請求の範囲】
【請求項１】
電源の供給対象に接続される電源コネクタおよび弾性を有する電源コードが引き出された略直方体形状を有する電源ユニットを収納する電源収納ボックスにおいて、
前記電源ユニットが所定部位に当接された状態で嵌め込まれる収納部と、
前記収納部に前記電源ユニットが嵌め込まれた状態で前記電源コードが架け渡され、当該電源コードを前記電源ユニットに当接させて前記弾性により前記電源ユニットを前記所定部位に押しつけつつ固定させるコード固定リブと、
を備えたことを特徴とする電源収納ボックス。
【請求項２】
請求項１記載の電源収納ボックスにおいて、
前記コード固定リブは、当該電源収納ボックスの側壁と協働して、前記電源コードを固定状態とすることを特徴とする電源収納ボックス。
【請求項３】
請求項１または請求項２記載の電源収納ボックスにおいて、
前記コード固定リブは、前記電源コードを前記電源ユニットに当接させる当接用コード固定リブを含むことを特徴とする電源収納ボックス。
【請求項４】
請求項１ないし請求項３のいずれかに記載の電源収納ボックスにおいて、
前記所定部位には、当接リブが設けられていることを特徴とする電源収納ボックス。
【請求項５】
請求項１ないし請求項４のいずれかに記載の電源収納ボックスにおいて、
前記電源収納ボックスの側壁側から中央側に向かって突設されるとともに、前記電源ユニットの上面に当接して当該電源ユニットの上方側への動きを規制する固定用アームを備えたことを特徴とする電源収納ボックス。
【請求項６】
電源の供給対象に接続される電源コネクタおよび弾性を有する電源コードが引き出された略直方体形状を有する電源ユニットと、
前記電源ユニットを収納した請求項１ないし請求項５のいずれかに記載の電源収納ボックスと、
前記電源収納ボックスと一体に結合することが可能であるとともに、前記電源ユニットからの供給電力により印刷動作を行う印刷機本体と、
を備えたことを特徴とする印刷装置。
【請求項７】
電源の供給対象に接続される電源コネクタおよび弾性を有する電源コードが引き出された略直方体形状を有する電源ユニットと、
前記電源ユニットを収納した請求項１ないし請求項５のいずれかに記載の電源収納ボックスと、
前記電源収納ボックスと一体に結合することが可能であるとともに、前記電源ユニットからの供給電力により駆動される電子機器本体と、
を備えたことを特徴とする電子機器。
【発明の詳細な説明】
【技術分野】
【０００１】
本発明は、電源収納ボックス、印刷装置および電子機器に係り、特に、ＡＣアダプタを収納する電源収納ボックス並びにこの電源収納ボックスを有する印刷装置および電子機器に関する。
【背景技術】
【０００２】
従来より、プリンタ、パーソナルコンピュータ、レジスタ装置などの各種電子機器の電源として電源ユニット（ＡＣアダプタ）を使用する装置が知られている（例えば、特許文献１参照）。
このような電子機器において、電源ユニットを電子機器本体と別体として設ける場合には、配線などが邪魔になってしまうことも起こりえた。
そこで、従来においては、電源ユニットを収納する電源収納ボックスを設け、箱形状の電源収納ボックス内に電源ユニットを収納した上で、当該電源収納ボックスを電子機器本体と一体に取り付ける構成が提案されている。
【特許文献１】特開平１０−１０９４０９号公報
【発明の開示】
【発明が解決しようとする課題】
【０００３】
ところで、電子機器本体は同一であっても、電源ユニットとして異なるものが使用される場合が仕様上存在し得た。
例えば、電子機器本体として、サーマルプリンタを考えた場合に、アルファベットを主として印字する欧州仕様の場合と、漢字を主として印字する日本仕様の場合においては、印字ヘッドを駆動する際の消費電力が異なり、機械的には同一のサーマルプリンタであっても、日本仕様の場合には、供給電力量が大きなＡＣアダプタを内蔵させる必要があった。
このような場合に、仕様が異なれば、ＡＣアダプタの外観形状も異なることがあり、各電源ユニットに対応した電源収納ボックスを作成したり、共通の電源収納ボックスに電源ユニット毎に対応する装着用部品を別途用意する必要があり、部品点数が増加し、製造コストも増加してしまうという問題点があった。
【０００４】
また、電源ユニットを電源収納ボックス内に収納し、当該電源収納ボックスを電子機器本体のいずれか（例えば、電子機器本体底部）に取り付ける場合に、電源ユニットから引き出されている電源コードを電子機器本体と電源収納ボックスとの間に挟み込んでしまう可能性もあった。
そこで、本発明の目的は、複数の形状の異なる電源ユニットについて、一種類の電源収納ボックスで対応可能とするとともに、電源収納ボックスを電子機器本体と一体として取り付ける場合に、電源コードを挟み込むことがない電源収納ボックス、印刷装置および電子機器を提供することにある。
【課題を解決するための手段】
【０００５】
上記課題を解決するため、本発明は、電源の供給対象に接続される電源コネクタおよび弾性を有する電源コードが引き出された略直方体形状を有する電源ユニットを収納する電源収納ボックスにおいて、前記電源ユニットが所定部位に当接された状態で嵌め込まれる収納部と、前記収納部に前記電源ユニットが嵌め込まれた状態で前記電源コードが架け渡され、当該電源コードを前記電源ユニットに当接させて前記弾性により前記電源ユニットを前記所定部位に押しつけつつ固定させるコード固定リブと、を備えたことを特徴としている。
上記構成によれば、収納部は、電源ユニットが所定部位に当接された状態で嵌め込まれる。
コード固定リブは、収納部に前記電源ユニットが嵌め込まれた状態で電源コードが架け渡され、当該電源コードを電源ユニットに当接させて弾性により電源ユニットを所定部位に押しつけつつ固定させる。
【０００６】
この場合において、前記コード固定リブは、当該電源収納ボックスの側壁と協働して、前記電源コードを固定状態とするようにしてもよい。
また、前記コード固定リブは、前記電源コードを前記電源ユニットに当接させる当接用コード固定リブを含むようにしてもよい。
さらに、前記所定部位には、当接リブが設けられているようにしてもよい。
さらにまた、前記電源収納ボックスの側壁側から中央側に向かって突設されるとともに、前記電源ユニットの上面に当接して当該電源ユニットの上方側への動きを規制する固定用アームを備えるようにしてもよい。
【０００７】
また、印刷装置は、電源の供給対象に接続される電源コネクタおよび弾性を有する電源コードが引き出された略直方体形状を有する電源ユニットと、上記いずれかの電源収納ボックスと一体に結合することが可能であるとともに、前記電源ユニットからの供給電力により印刷動作を行う印刷機本体と、を備えたことを特徴としている。
また、電子機器は、電源の供給対象に接続される電源コネクタおよび弾性を有する電源コードが引き出された略直方体形状を有する電源ユニットと、前記電源ユニットを収納した上記いずれかの電源収納ボックスと、前記電源収納ボックスと一体に結合することが可能であるとともに、前記電源ユニットからの供給電力により駆動される電子機器本体と、を備えたことを特徴としている。
【発明の効果】
【０００８】
本発明によれば、電源ユニットから引き出されている電源コードの弾性を利用して電源収納ボックス内で電源ユニットを確実に固定することができるとともに、電源収納ボックスを本体と一体として取り付ける場合にも電源コードが電源収納ボックス内で確実に固定されているため、電源コードを挟み込むことがない。
【発明を実施するための最良の形態】
【０００９】
次に図面を参照して本発明の好適な実施形態について説明する。
図１は、実施形態に係る記録装置としてのサーマルプリンタの外観斜視図である。
サーマルプリンタ１０は、複数の発熱抵抗体が並べて配置された図示しないサーマルヘッドにより、ロール状の感熱紙として構成された記録媒体（以下、ロール紙とする。）の記録面に対して、文字を含む画像を記録するものである。
サーマルプリンタ１０は、図１に示すように、大別すると、プリンタ機構を収納するメインケース１１および後述する電源ユニットを収納する電源収納ボックス１２と、を備えている。
メインケース１１は、収納したロール紙を覆うロール紙カバー１５及びオートカッタユニットを収納するカッタカバー１６を備えている。
ロール紙カバー１５は、サーマルプリンタ１０の上面後端部を回動中心として図面奥側に向かって回動しながら開放可能に構成されており、例えば、メインケース１１内の図示しないロール紙ホルダにロール紙をセットする場合等に開放される。
【００１０】
カッタカバー１６は、開放可能に構成されており、例えば、図示しないオートカッタユニットにおける紙詰まりなどの異常時の対応や、調整等を行う場合に開放される。
サーマルプリンタ１０の前面において、フロントパネル１７の中央には凹部が形成され、この凹部の下端にはコントロールパネル１８が配設される。コントロールパネル１８は、メインケース１１内に収納された図示しないメイン基板上の回路に電気的に接続された各種スイッチ及びインジケータ類を備え、具体的には、ロール紙の送り出しを指示するための紙送りボタン１８ａ、サーマルプリンタ１０の動作状態を報知するインジケータ１８ｂ等を備える。また、フロントパネル１７の前面下隅部には、サーマルプリンタ１０の電源をオン／オフする電源スイッチ１９が配置されている。
また、サーマルプリンタ１０の上面において、メインケース１１の上部パネル１１Ａとロール紙カバー１５との境界には紙出口２０が形成される。紙出口２０の上部パネル１１Ａ側には切刃を有するマニュアルカッタ２１が設けられ、紙出口２０から排出されたロール紙をマニュアルカッタ２１の切刃に押し付けて、手で切断できるようになっている。
【００１１】
図２は、サーマルプリンタのメインケースを底面側から見た斜視図である。
サーマルプリンタ１０のメインケース１１の底面を構成する底板２９には、サーマルプリンタ１０の底面側に突出し、電源収納ボックス１２を設けない場合に設置面に当接する脚部２８が合計４カ所に一つずつ配置されている。
サーマルプリンタ１０の前後方向中央において底板２９に略直角に後端面３０が形成されている。
メインケース１１内に収納されているインタフェース基板の後端は、後端面３０に設けられたコネクタ用開口開口部からコネクタの一部Ｃ１が突出するようにされている。
【００１２】
図３は、電源収納ボックスの平面図である。
図４は、図３のＢ−Ｂ断面矢視図である。
図５は、図３のＣ−Ｃ断面矢視図である。
電源収納ボックス１２は、樹脂製で、上面が開口状態とされた箱形状をなしており、フロントパネル４１、右サイドパネル４２、左サイドパネル４３およびリアパネル４４を備えている。
電源収納ボックス１２の底板４５には、右サイドパネル４２、左サイドパネル４３あるいはリアパネル４４と協働して、後述する電源ユニットの電源コードを固定するための複数の電源コード固定用リブ４６Ａ〜４６Ｄが立設されている。
ここで、電源コード固定用リブ４６Ａ〜４６Ｄは、台形形状を有する薄板をコの字状に曲げた形状を有しており、樹脂材料を低減しつつ、強度を確保している。
また、電源収納ボックス１２の底板４５には、電源コード固定用リブ４６Ａ〜４６Ｄと協働して、後述する略直方体形状を有する電源ユニットの電源コードを固定するとともに、電源収納ボックス１２をメインケース１１に固定するためのねじが通されるねじ孔４７がそれぞれ設けられた直方体形状を有する、ねじ受け突起部４８Ａ〜４８Ｄが立設されている。
【００１３】
また、電源収納ボックス１２の底板４５のフロントパネル４１側には、電源コード固定用リブ４６Ｄよりも背が低く、フロントパネル４１側から電源コードを挿入することにより電源ユニットの電源コードを引っ掛けることが可能な断面Ｌ字状の引掛部４９が設けられている。
さらに、電源収納ボックス１２の底板４５の中央部分には、後述する電源ユニットを簡易的に固定するための電源固定リブ群５０が設けられている。
電源固定リブ群５０は、薄板状の第１電源固定リブ５１Ａ、５１Ｂおよび薄板状の第２電源固定リブ５２Ａ〜５２Ｅを備えている。
ここで、第１電源固定リブ５１Ａ、５１Ｂは、第１のサイズを有する電源ユニット（以下、第１電源ユニットという。）の左サイドパネル４３側の側面が当接される第１サイド当接部５５と、第１電源ユニットの底面が当接し、第１電源ユニットを支持する第１支持部５６Ａを備えている。
【００１４】
一方、第２電源固定リブ５２Ａ〜５２Ｅは、第１サイド当接部５５に加えて、第１電源ユニットの底面が当接し、第１電源ユニットを支持する第２支持部５６Ｂと、第２のサイズ（第１のサイズよりも左右方向の幅および奥行きが小さく、上下方向（高さ方向）の幅が大きい）を有する電源ユニット（以下、第２電源ユニットという。）の左サイドパネル４３側の側面が当接される第２サイド当接部５７Ａと、第２電源ユニットの底面が当接し、第２電源ユニットを支持する第２支持部５７Ｂと、第２電源ユニットの右サイドパネル４２側の側面が当接される第３サイド当接部５７Ｃと、第１電源ユニットの底面が当接し、第１電源ユニットを支持する第３支持部５６Ｃと、を備えている。
また、電源収納ボックス１２の底板４５の第２電源固定リブ５２Ｅのリアパネル４４側には、第１電源ユニットあるいは第２電源ユニットのリアパネル４４側の側面が当接され、位置決めを行うリアパネル側当接リブ６１が立設されている。
【００１５】
このリアパネル側当接リブ６１に連続して右サイドパネル４２側には、第１電源ユニットあるいは第２電源ユニットの右サイドパネル４２側の側面が当接され、位置決めを行う右サイドパネル側当接リブ６２が立設されている。さらにこの右サイドパネル側当接リブ６２の上端の一部から、第１電源ユニットあるいは第２電源ユニットを上面側から押さえるための、押さえアーム６３が電源収納ボックス１２の中央部側に２本延在されている。各押さえアーム６３は、第１電源ユニットあるいは第２電源ユニットの上面側に当接する上面当接部６４を有している。
さらに、右サイドパネル側当接リブ６２に連続してフロントパネル４１側には、第１電源ユニットのフロントパネル４１側の側面が当接され、位置決めを行うフロントパネル側当接リブ６５が立設されている。
また、電源収納ボックス１２の底板４５には、第１電源ユニットあるいは第２電源ユニットの収納時に各電源ユニットに記載の仕様情報などを視認可能とするための情報用開口７１、７２が設けられている。また、電源収納ボックス１２をメインケース１１に取り付けた場合に電源コードの挟み込みなどが生じた場合に作業者が指を挿入して調整を行うための調整用開口７３と、が設けられている。
さらに、電源収納ボックス１２の底板４５の裏面側には、サーマルプリンタ１０の設置面に当接する脚部７５が合計４カ所に一つずつ配置されている。
【００１６】
次に電源ユニットの収納方法について説明する。
まず、上述した第１電源ユニットを電源収納ボックス１２に収納する場合について説明する。
図６は、第１電源ユニットの収納状態の説明斜視図である。図７は、第１電源ユニットの収納状態の説明平面図である。
第１電源ユニットＵ１は、商用電源（交流電源）に接続するための第１電源コード８１と、メインケース１１内のプリンタ本体に直流電源を供給するための第２電源コード８２と、第２電源コード８２の先端に設けられ、メインケース１１内のプリンタ本体に接続される電源コネクタ８３と、第２電源コード８２の途中に設けられ、電源ノイズを吸収するためのノイズフィルタ（フェライトコア）８４と、を備えている。
実際に第１電源ユニットＵ１を電源収納ボックス１２に収納する場合には、まず、第１電源コード８１がリアパネル４４側となり、第２電源コード８２がフロントパネル４１側となるようにする。
そして、押さえアーム６３を持ち上げつつ、第１電源ユニットＵ１の右サイドパネル４２側の面が右サイドパネル側当接リブ６２に当接し、第１電源ユニットＵ１のリアパネル４４側の面がリアパネル側当接リブ６１に当接するように押し込む。
【００１７】
そして、第１電源ユニットＵ１の上面が水平になるように回動させると、第１電源ユニットＵ１の底面が第１電源固定リブ５１Ａ、５１Ｂの第１支持部５６Ａに当接して支持されるとともに、第１電源ユニットＵ１の左サイドパネル４３側の側面が第１電源固定リブ５１Ａ、５１Ｂの第１サイド当接部５５に当接する。これと同時に第１電源ユニットＵ１の左サイドパネル４３側の側面が第２電源固定リブ５２Ａ〜５２Ｅの第１サイド当接部５５に当接し、第１電源ユニットＵ１の底面が第２支持部５６Ｂにも当接し支持され、第３支持部５６Ｃにも当接して支持される。
理想的には、上述したとおりになるはずであるが、実際には、寸法精度などの観点から、第１電源ユニットＵ１の左サイドパネル４３側の側面が第１電源固定リブ５１Ａ、５１Ｂおよび第２電源固定リブ５２Ａ〜５２Ｅの第１サイド当接部５５および、第２電源固定リブ５２Ａ〜５２Ｅの第１サイド当接部５５および第１電源ユニットＵ１の右サイドパネル４２側の面が右サイドパネル側当接リブ６２に同時に当接することはなく、押さえアーム６３に押さえられた状態で、左右にある程度第１電源ユニットＵ１が動くことが可能な状態となっている。
【００１８】
そこで、本実施形態では、第２電源コード８２の弾性を利用して、第１電源ユニットＵ１の固定を図っている。
具体的には、第１電源ユニットＵ１のフロントパネル４１側に突出している第２電源コード８２を時計回りに巻き込み、第１電源ユニットＵ１の左サイドパネル４３側の側面に沿わせるようにして、電源コード固定用リブ４６Ａに向かわせる。
そして、第２電源コード８２を引っ張りながら、電源コード固定用リブ４６Ａの右側から、電源コード固定用リブ４６Ａとリアパネル４４との間の隙間に第２電源コード８２を押し込む。このとき、電源コード固定用リブ４６Ａの右端は、第１電源ユニットＵ１の左サイドパネル４３側の側面位置よりも右側に位置しているので、第２電源コードの弾性により第１電源ユニットＵ１は、右サイドパネル側当接リブ６２に押しつけられることとなり、第１電源ユニットＵ１の左右への動きは抑制されることとなる。
その後、電源コード固定用リブ４６Ａの左端から引き出した第２電源コード８２を、電源コード固定用リブ４６Ｂの後端側から、電源コード固定用リブ４６Ｂと左サイドパネル４３との間の隙間に押し込む。さらに第２電源コード８２を引っ張りながら、ねじ受け突起部４８Ａの右側面に沿わせ、電源コード固定用リブ４６Ｃの後端側から、電源コード固定用リブ４６Ｃと左サイドパネル４３との間の隙間に第２電源コード８２を押し込む。
【００１９】
これらの結果、第２電源コード８２は、ねじ受け突起部４８Ａ部分の摩擦により固定され、通常の動きでは第２電源コード８２が外れることはなくなる。
さらに、電源コード固定用リブ４６Ｃの前端から引き出した第２電源コード８２を、ねじ受け突起部４８Ｂの右後側の角に当接させつつ、電源コード固定用リブ４６Ｄの左端側から、電源コード固定用リブ４６Ｄとフロントパネル４１との間の隙間に押し込む。さらに第２電源コード８２を引っ張りながら、第２電源コード８２を半時計回りに巻き込み、第１電源ユニットＵ１の左サイドパネル４３側の側面に沿わせるようにして、固定処理を終了する。
この時点で、第２電源コード８２は、電源収納ボックス１２に確実に固定されているので、電源コネクタ８３をメインケース１１内のプリンタ本体に接続すればよい。
これらの結果、第１電源ユニットＵ１は、電源収納ボックス１２内で第２電源コード８２の弾性により所定位置に押しつけられた状態となり、多少振ったところで、左右への動きは生じないこととなる。
【００２０】
次に、上述した第２電源ユニットを電源収納ボックス１２に収納する場合について説明する。
図８は、第２電源ユニットの収納状態の説明斜視図である。図９は、第２電源ユニットの収納状態の説明平面図である。図８および図９において、図６あるいは図７と同様の部分には同一の符号を付すものとする。
第２電源ユニットＵ２は、商用電源（交流電源）に接続するための第１電源コード８１と、メインケース１１内のプリンタ本体に直流電源を供給するための第２電源コード８２と、第２電源コード８２の先端に設けられ、メインケース１１内のプリンタ本体に接続される電源コネクタ８３と、第２電源コード８２の途中に設けられ、電源ノイズを吸収するためのノイズフィルタ（フェライトコア）８４と、を備えている。
【００２１】
実際に第２電源ユニットＵ２を電源収納ボックス１２に収納する場合には、まず、第１電源コード８１がリアパネル４４側となり、第２電源コード８２がフロントパネル４１側となるようにする。
そして、押さえアーム６３を持ち上げつつ、第２電源ユニットＵ２の右サイドパネル４２側の面が第３サイド当接部５７Ｃに当接し、第２電源ユニットＵ２のリアパネル４４側の面がリアパネル側当接リブ６１に当接するように押し込む。
そして、第２電源ユニットＵ２の上面が水平になるように回動させると第２電源ユニットＵ２の左サイドパネル４３側の側面が第２電源固定リブ５２Ａ〜５２Ｅの第２サイド当接部５７Ａに当接する。これと同時に第２電源ユニットＵ２の右サイドパネル４２側の側面が第３サイド当接部５７Ｃ当接する。さらに、第２電源ユニットＵ２の底面が第２支持部５７Ｂに当接して支持されることとなる。
【００２２】
第２電源ユニットＵ２の場合でも、理想的には、上述したとおりになるはずであるが、実際には、寸法精度などの観点から、第２電源ユニットＵ２の左サイドパネル４３側の側面が第２電源固定リブ５２Ａ〜５２Ｅの第２サイド当接部５７Ａに当接し、かつ、第２電源ユニットＵ２の右サイドパネル４２側の側面が第３サイド当接部５７Ｃ当接することはなく、押さえアーム６３に押さえられた状態で、左右にある程度第２電源ユニットＵ２が動くことが可能な状態となっている。
そこで、本実施形態では、第２電源コード８２の弾性を利用して、第２電源ユニットＵ２の固定を図っている。
【００２３】
具体的には、第２電源ユニットＵ２のフロントパネル４１側に突出している第２電源コード８２を時計回りに巻き込み、第２電源ユニットＵ２の左サイドパネル４３側の側面に沿わせるようにして、電源コード固定用リブ４６Ａに向かわせる。
そして、第２電源コード８２を引っ張りながら、電源コード固定用リブ４６Ａの右側から、電源コード固定用リブ４６Ａとリアパネル４４との間の隙間に第２電源コード８２を押し込む。
その後、電源コード固定用リブ４６Ａの左端から引き出した第２電源コード８２を、電源コード固定用リブ４６Ｂの後端側から、電源コード固定用リブ４６Ｂと左サイドパネル４３との間の隙間に押し込む。さらに第２電源コード８２を引っ張りながら、ねじ受け突起部４８Ａの右側面に沿わせ、電源コード固定用リブ４６Ｃの後端側から、電源コード固定用リブ４６Ｃと左サイドパネル４３との間の隙間に第２電源コード８２を押し込む。
【００２４】
これらの結果、第２電源コード８２は、ねじ受け突起部４８Ａ部分の摩擦により固定され、通常の動きでは第２電源コード８２が外れることはなくなる。
さらに、電源コード固定用リブ４６Ｃの前端から引き出した第２電源コード８２を、ねじ受け突起部４８Ｂの右後側の角に当接させつつ、電源コード固定用リブ４６Ｄの左端側から、電源コード固定用リブ４６Ｄとフロントパネル４１との間の隙間に押し込む。
続いて、第２電源コード８２を電源コード固定用リブ４６Ｄよりも背が低い引掛部４９にフロントパネル４１側から第２電源コード８２を挿入し、引っ掛ける。
そして再び、第２電源コード８２を時計回りに巻き込み、第２電源ユニットＵ２の左サイドパネル４３側の側面に沿わせるようにして、電源コード固定用リブ４６Ａに向かわせる。
【００２５】
そして、第２電源コード８２を引っ張りながら、電源コード固定用リブ４６Ａの右側から、電源コード固定用リブ４６Ａとリアパネル４４との間の隙間に第２電源コード８２を押し込む。
その後、電源コード固定用リブ４６Ａの左端から引き出した第２電源コード８２を、電源コード固定用リブ４６Ｂの後端側から、電源コード固定用リブ４６Ｂと左サイドパネル４３との間の隙間に押し込む。
このとき、電源コード固定用リブ４６Ａの右端および引掛部４９は、第２電源ユニットＵ２の左サイドパネル４３側の側面位置よりも右側に位置しているので、第２電源コードの弾性により第２電源ユニットＵ２は、右サイドパネル側当接リブ６２に押しつけられることとなり、第２電源ユニットＵ２の左右への動きは抑制されることとなる。
さらに第２電源コード８２を引っ張りながら、ねじ受け突起部４８Ａの右側面に沿わせ、電源コード固定用リブ４６Ｃの後端側から、電源コード固定用リブ４６Ｃと左サイドパネル４３との間の隙間に第２電源コード８２を押し込む。
【００２６】
これらの結果、第２電源コード８２は、ねじ受け突起部４８Ａ部分の摩擦により固定され、通常の動きでは第２電源コード８２が外れることはなくなる。
さらに、電源コード固定用リブ４６Ｃの前端から引き出した第２電源コード８２を、ねじ受け突起部４８Ｂの右後側の角に当接させつつ、電源コード固定用リブ４６Ｄの左端側から、電源コード固定用リブ４６Ｄとフロントパネル４１との間の隙間に押し込む。
その後、電源コード固定用リブ４６Ａの左端から引き出した第２電源コード８２を、電源コード固定用リブ４６Ｂの後端側から、電源コード固定用リブ４６Ｂと左サイドパネル４３との間の隙間に押し込む。さらに第２電源コード８２を引っ張りながら、ねじ受け突起部４８Ａの右側面に沿わせ、電源コード固定用リブ４６Ｃの後端側から、電源コード固定用リブ４６Ｃと左サイドパネル４３との間の隙間に第２電源コード８２を押し込む。
【００２７】
これらの結果、第２電源コード８２は、ねじ受け突起部４８Ａ部分の摩擦により固定され、通常の動きでは第２電源コード８２が外れることはなくなる。
さらに、電源コード固定用リブ４６Ｃの前端から引き出した第２電源コード８２を、ねじ受け突起部４８Ｂの右後側の角に当接させつつ、電源コード固定用リブ４６Ｄの左端側から、電源コード固定用リブ４６Ｄとフロントパネル４１との間の隙間に押し込む。さらに第２電源コード８２を引っ張りながら、第２電源コード８２を半時計回りに巻き込み、第２電源ユニットＵ２の左サイドパネル４３側の側面に沿わせるようにして、固定処理を終了する。
この時点で、第２電源コード８２は、電源収納ボックス１２に確実に固定されているので、電源コネクタ８３をメインケース１１内のプリンタ本体に接続すればよい。
これらの結果、第２電源ユニットＵ２は、電源収納ボックス１２内で第２電源コード８２の弾性により所定位置に押しつけられた状態となり、多少振ったところで、左右への動きは生じないこととなる。
【００２８】
以上の説明のように、本実施形態によれば、電源ユニットのサイズが多少異なる場合であっても、電源ユニットから引き出されている電源コードの弾性を利用して電源収納ボックス内で電源ユニットを確実に固定することができる。
また、電源コードの固定は単純に電源コードと電源収納ボックスを構成する各リブ、各パネルあるいはねじ受け突起部との間の摩擦により行っているので、部品点数が増えることもなく、固定作業並びに修正も容易である。
さらに、電源収納ボックスを電子機器本体と一体として取り付ける場合にも電源コードが電源収納ボックス内で確実に固定されているため、電源コードを挟み込むことがない。
【００２９】
以上の説明においては、２種類の電源ユニットに対応する電源収納ボックスを説明したが、３種類以上の電源ユニットであっても、対応する寸法の電源固定リブ群等を設けることにより適用が可能である。
以上の説明においては、電源収納ボックスを構成するパネル（実施形態では、フロントパネル、左サイドパネルおよびリアパネル）と電源コード固定用リブとの隙間の幅については特に言及しなかったが、電源収納ボックスを構成する樹脂の弾性および電源コードの変形量に応じて適宜設定することが可能となっており、所定径範囲内に属する太さが異なる複数種類の電源コードにも容易に対応可能である。
また、上記実施形態では、記録装置としてサーマルプリンタを例示したが、これに限らず、例えば、ドットインパクト方式やインクジェット方式のプリンタであってもよい。さらには、他の電子機器であっても容易に適用可能である。
【図面の簡単な説明】
【００３０】
【図１】実施形態に係る記録装置としてのサーマルプリンタの外観斜視図である。
【図２】サーマルプリンタのメインケースを底面側から見た斜視図である。
【図３】電源収納ボックスの平面図である。
【図４】図３のＢ−Ｂ断面矢視図である。
【図５】図３のＣ−Ｃ断面矢視図である。
【図６】第１電源ユニットの収納状態の説明斜視図である。
【図７】第１電源ユニットの収納状態の説明平面図である。
【図８】第２電源ユニットの収納状態の説明斜視図である。
【図９】第２電源ユニットの収納状態の説明平面図である。
【符号の説明】
【００３１】
１０…サーマルプリンタ、１１…メインケース、１２…電源収納ボックス、
４１…フロントパネル、４２…右サイドパネル、４３…左サイドパネル、４４…リアパネル、４５…底板、４６Ａ〜４６Ｄ…電源コード固定用リブ（コード固定リブ）、４８Ａ〜４８Ｄ…ねじ受け突起部、５０…電源固定リブ群、５１Ａ、５１Ｂ…第１電源固定リブ、５２Ａ〜５２Ｅ…第２電源固定リブ。
【図１】
0004645368.tif 000002
【図２】
0004645368.tif 000003
【図３】
0004645368.tif 000004
【図４】
0004645368.tif 000005
【図５】
0004645368.tif 000006
【図６】
0004645368.tif 000007
【図７】
0004645368.tif 000008
【図８】
0004645368.tif 000009
【図９】
0004645368.tif 000010